(57)【要約】      （修正有）【課題】廃棄時止着用のテープファスナーを安定した状態で取付けることができ、横方向及び縦方向にも小さくまとめた状態を保持することを可能にし、排泄物や臭い等が漏出るのを効果的に回避できるパンツ型使い捨ておむつの提供。【解決手段】液透過性の表面シート２、液不透過性の防漏シート３及び液保持性の吸収体４を具備し、ウエスト開口部５とレッグ開口部６を有するパンツ型使い捨ておむつ１であって、おむつ１の最外表面を構成する外層シート１２の吸収体４と重なる背側部Ｂの外表面には、吸収体４の長手方向に配置される廃棄時止着用の縦方向テープファスナー２０ａと、吸収体４の巾方向に配置される廃棄時止着用の横方向テープファスナー２０ｂとが取付けられている。横方向テープファスナー２０ｂは、廃棄時にまとめたおむつを周回できる長さを有しており、その延長線が縦方向テープファスナー２０ａと交差する領域に設けられる。【選択図】図１
2006246971.tif 000002
【特許請求の範囲】
【請求項１】
液透過性の表面シート、液不透過性の防漏シート及び液保持性の吸収体を具備し、ウエスト開口部と一対のレッグ開口部とを有するパンツ型使い捨ておむつであって、
該おむつの最外表面を構成する外層シートの前記吸収体と重なる背側部の外表面には、前記吸収体の長手方向に配置される帯状の廃棄時止着用の縦方向テープファスナーと、前記吸収体の巾方向に配置される帯状の廃棄時止着用の横方向テープファスナーとが取り付けられており、且つ該横方向テープファスナーは、廃棄時に各テープファスナーが取付けられた外表面を外側にしてまとめられたおむつを周回させて少なくとも両端部分が前記吸収体と重なる背側部の外表面に止着される長さを有しているパンツ型使い捨ておむつ。
【請求項２】
液透過性の表面シート、液不透過性の防漏シート及び液保持性の吸収体を具備し、ウエスト開口部と一対のレッグ開口部とを有するパンツ型使い捨ておむつであって、
該おむつの最外表面を構成する外層シートの前記吸収体と重なる背側部の外表面には、前記吸収体の長手方向に配置される帯状の廃棄時止着用の縦方向テープファスナーと、前記吸収体の巾方向に配置される帯状の廃棄時止着用の横方向テープファスナーとが取り付けられており、且つ該横方向テープファスナーは、その延長線が前記縦方向テープファスナーと交差する領域に設けられているパンツ型使い捨ておむつ。
【請求項３】
前記縦方向テープファスナーは、前記吸収体の長手方向に伸びる中央区域に配置される請求項１又は２に記載のパンツ型使い捨ておむつ。
【請求項４】
前記縦方向テープファスナー及び前記横方向テープファスナーは、前記外層シートの背側部の外表面における前記吸収体と重なる領域からはみ出すことなく設けられている請求項１〜３のいずれかに記載のパンツ型使い捨ておむつ。
【請求項５】
前記防漏シートが前記外層シートを兼ねる請求項１〜４のいずれかに記載のパンツ型使い捨ておむつ。
【発明の詳細な説明】
【技術分野】
【０００１】
本発明は、パンツ型使い捨ておむつに関し、特に液透過性の表面シート、液不透過性の防漏シート及び液保持性の吸収体を具備し、ウエスト開口部と一対のレッグ開口部とを有するパンツ型使い捨ておむつに関する。
【背景技術】
【０００２】
近年、着用時にテープファスナーを用いておむつを止着する従来のフラット型の使い捨ておむつに代えて、テープファスナーを用いずに、予めサイド部を接合固定した、いわゆるパンツ型使い捨ておむつが開発されている。またこのようなパンツ型使い捨ておむつとしては、例えば、ウエスト部とレッグ部とにギャザーを設けたもや、さらにウエスト部とレッグ部との間の胴周り部にギャザーを設けたものなど、種々の形態のおむつが提案されている。そして、これらのパンツ型使い捨ておむつは、全て通常の下着と同様に立位で着用できるものであり、幼児は勿論のこと高月齢児のトイレットトレーニング用として、あるいは失禁者用、成人用として使用することを意図したものである。
【０００３】
また、これらのパンツ型使い捨ておむつでは、おむつの着用時に用いる止着用のテープファスナーが特に設けられておらず、廃棄時に止着用のテープファスナーを利用しておむつを小さくまとめることはできないことから、おむつの廃棄時に使用する廃棄時止着用のテープファスナーを新たに取り付けたパンツ型使い捨ておむつも開発されている（例えば、特許文献１、特許文献２参照）。
【特許文献１】特開２００３−２９０２８７号公報
【特許文献２】特開２００３−１９１５３号公報
【発明の開示】
【発明が解決しようとする課題】
【０００４】
しかしながら、上記従来の廃棄時止着用のテープファスナーを取り付けたパンツ型使い捨ておむつによれば、特許文献１の使い捨ておむつは、テープファスナーが前後胴回り域の接合部に近接して取り付けられており、この部分には厚みのある吸収体が設けられていないことから、安定した状態でテープファスナーを固定することができず、特に胴回り域にギャザーが形成されている場合には、テープファスナーにしわが生じやすくなると共に、テープを引っ張る操作を行い難くなる。また、特許文献２の使い捨ておむつは、横方向のテープファスナーが上下方向に離間して二条設けられており、これによってまとめたおむつの上下方向の止着域を広くすることが可能になるが、横方向のテープファスナーでは縦方向に折り畳んだ状態を十分に保持できないため、縦方向に沿った隙間や開口が生じ易くなって排泄物や臭い等が漏れ出る場合がある。
【０００５】
本発明は、廃棄時止着用のテープファスナーを安定した状態で取り付けておくことができると共に、廃棄時に横方向のみ又は縦方向のみならず両方向にまとめた状態を保持することを可能にして、より小さく丸めて廃棄することができ、また排泄物や臭い等が漏れ出るのを効果的に回避できるパンツ型使い捨ておむつを提供することを目的とする。
【課題を解決するための手段】
【０００６】
本発明は、液透過性の表面シート、液不透過性の防漏シート及び液保持性の吸収体を具備し、ウエスト開口部と一対のレッグ開口部とを有するパンツ型使い捨ておむつであって、該おむつの最外表面を構成する外層シートの前記吸収体と重なる背側部の外表面には、前記吸収体の長手方向に配置される帯状の廃棄時止着用の縦方向テープファスナーと、前記吸収体の巾方向に配置される帯状の廃棄時止着用の横方向テープファスナーとが取り付けられており、且つ該横方向テープファスナーは、廃棄時に各テープファスナーが取付けられた外表面を外側にしてまとめられたおむつを周回させて少なくとも両端部分が前記吸収体と重なる背側部の外表面に止着される長さを有しているパンツ型使い捨ておむつを提供することにより、上記目的を達成したものである。
【０００７】
また、本発明は、液透過性の表面シート、液不透過性の防漏シート及び液保持性の吸収体を具備し、ウエスト開口部と一対のレッグ開口部とを有するパンツ型使い捨ておむつであって、該おむつの最外表面を構成する外層シートの前記吸収体と重なる背側部の外表面には、前記吸収体の長手方向に配置される帯状の廃棄時止着用の縦方向テープファスナーと、前記吸収体の巾方向に配置される帯状の廃棄時止着用の横方向テープファスナーとが取り付けられており、且つ該横方向テープファスナーは、その延長線が前記縦方向テープファスナーと交差する領域に設けられているパンツ型使い捨ておむつを提供することにより、上記目的を達成したものである。
【発明の効果】
【０００８】
本発明のパンツ型使い捨ておむつによれば、廃棄時止着用のテープファスナーを安定した状態で取り付けておくことができると共に、廃棄時に横方向のみ又は縦方向のみならず両方向にまとめた状態を保持することを可能して、より小さく丸めて廃棄することができ、また排泄物や臭い等が漏れ出るのを効果的に回避することができる。
【発明を実施するための最良の形態】
【０００９】
以下、本発明のパンツ型使い捨ておむつの好ましい第１実施形態について添付図面を参照して更に詳細に説明する。ここで、図１（ａ）は、本第１実施形態の使い捨ておむつにおける、おむつの表側（腹側）を示す斜視図であり、図１（ｂ）は、その裏側（背側）を示す斜視図であり、図２（ａ），（ｂ）は、図１（ａ），（ｂ）に示す使い捨ておむつの展開図及び展開断面図である。また、図３（ａ）は、図１（ａ），（ｂ）に示す使い捨ておむつに用いる縦方向テープファスナー又は横方向テープファスナーの拡大斜視図であり、図３（ｂ）は、その剥離させる状態を示す拡大斜視図である。
【００１０】
本第１実施形態のパンツ型使い捨ておむつ１は、図１（ａ），（ｂ）及び図２（ａ），（ｂ）に示すように、液透過性の表面シート２、液不透過性の防漏シート３及び液保持性の吸収体４を具備し（図２（ａ），（ｂ）参照）、ウエスト開口部５と一対のレッグ開口部６（図１（ａ），（ｂ）参照）とを有するパンツ型の使い捨ておむつである。そして、おむつの最外表面を構成する外層シート１２の吸収体４と重なる背側部Ｂの外表面には、吸収体４の長手方向に配置される帯状の廃棄時止着用の縦方向テープファスナー２０ａと、吸収体４の巾方向に配置される帯状の廃棄時止着用の横方向テープファスナー２０ｂとが取り付けられており、且つ横方向テープファスナー２０ｂは、廃棄時に各テープファスナー２０ａ，２０ｂが取付けられた外表面を外側にしてまとめられたおむつ１を周回させて少なくとも両端部分が吸収体４と重なる背側部Ｂの外表面に止着される長さを有しており、好ましくは廃棄時にまとめられたおむつ１を一周できる長さを有している（図４（ｂ），（ｃ）参照）。
【００１１】
また、本第１実施形態によれば、横方向テープファスナー２０ｂは、その中心線の延長線が縦方向テープファスナー２０ａと交差する領域に設けられている。
【００１２】
さらに、本第１実施形態によれば、縦方向テープファスナー２０ａは、吸収体４の長手方向に伸びる中央区域（おむつの巾方向における中央部）に配置されている。
【００１３】
更に詳細に説明すると、本第１実施形態のパンツ型使い捨ておむつ１は、液透過性の表面シート２、液不透過性の防漏シート３及び両シート２、３間に介在配置された液保持性の吸収体４としての吸収性コアを有する実質的に縦長の吸収体本体１０と、該吸収体本体１０の防漏シート３側に配された外層体１１とを備えている。
【００１４】
パンツ型使い捨ておむつ１は、着用者の腹側に配される腹側部Ａと背側に配される背側部Ｂとその間に位置する股下部Ｃとを有し、腹側部Ａの両側縁Ａ１，Ａ２と背側部Ｂの両側縁Ｂ１，Ｂ２とが互いに接合部Ｓとして接合されて、ウエスト開口部５及び一対のレッグ開口部６を有するパンツ型に形成されている。この接合には例えばヒートシール、高周波シール、超音波シール等が用いられる。
【００１５】
表面シート２、防漏シート３及び吸収体４は所定手段によって互いに接合されて縦長の吸収体本体１０を形成している。表面シート２及び防漏シート３はそれぞれ矩形状である。また吸収体４も矩形状である。表面シート２及び防漏シート３としては、従来この種のおむつに用いられているものと同様のものを用いることができる。また吸収体４は、例えば高吸収性ポリマーの粒子及び繊維材料から構成されており、ティッシュペーパ（図示せず）によって被覆されている。
【００１６】
図２（ａ）に示すように、吸収体本体１０の左右両側には、液抵抗性ないし液不透過性で且つ通気性の素材から構成された側方カフス８，８が形成されている。各側方カフス８は、吸収体本体１０の長手方向に沿って固定端部及び自由端部を有している。固定端部は、表面シート２に固定されている。一方、自由端部の近傍には、側方カフス弾性部材８１が伸張状態で配されている。これにより側方カフス８が起立して、吸収体本体１０の幅方向への液の流出が阻止されている。
【００１７】
吸収体本体１０は、図２（ａ）に示すように、その長手方向を外層体１１の長手方向に一致させて、外層体１１の中央部に固定されている。吸収体本体１０と外層体１１とは、部分的に接合されて固定されている。両者をこのように固定することで、後述する吸収体４のひだ寄せの発生が一層効果的に防止される。
【００１８】
外層体１１は、少なくとも二枚のシート材、即ち外層シート１２と該外層シート１２の内面側に配された内層シート１３とを有している（図２（ｂ）参照）。二枚のシート材は例えば不織布から形成されている。外層体１１は、おむつ１の外形を形成しており、外層体１１の外層シート１２はおむつ１の最外表面を構成している。内層シート１３は外層シート１２の内面側に、ホットメルト粘着剤等の接着剤によって接合されている。外層体１１は、その両側縁が、長手方向中央部において内方に括れた砂時計形の形状を備えている。
【００１９】
外層体１１は、吸収体本体１０の前後端縁から外方に延出しており、延出した部分が吸収体本体１０側に折り返されている。そして、折り返された外層材１１の前後端縁は、図２（ｂ）に示すように吸収体本体１０における吸収体４上に位置している。
【００２０】
図２（ａ）に示すように、外層体１１における前後端部には、前後端縁に沿って、複数のウエスト部弾性部材５１ａ，５１ｂがその幅方向に亘り配されている。各ウエスト部弾性部材５１ａ，５１ｂは、外層シート１２と内層シート１３とによって伸張状態で挟持固定されている。各ウエスト部弾性部材５１ａ，５１ｂは、おむつ１の腹側部Ａの両側縁Ａ１，Ａ２と背側部Ｂの両側縁Ｂ１，Ｂ２とを互いに接合させたときに、両弾性部材５１ａ，５１ｂの端部同士がほぼ重なるように配されている。これによって、図１（ａ），（ｂ）に示すように、ウエスト部弾性部材５１ａ，５１ｂは、おむつ１のウエスト開口部５の周方向に向けて配されることになり、ウエスト開口部５の付近には実質的に連続したリング状のウエストギャザーが形成される。
【００２１】
図２（ａ）に示すように、外層体１１における左右両側の湾曲部には、レッグ部弾性部材６１ａ，６１ｂが配されている。各レッグ部弾性部材６１ａ，６１ｂは、中央部分６１ａ’，６１ｂ’と、これに連続する各側縁部分６１ａ”，６１ｂ”とから構成されている。中央部分６１ａ’，６１ｂ’は、おむつ１の股下部Ｃを横切るように配されており、側縁部分６１ａ”，６１ｂ”は前記湾曲部に沿って配されている。各レッグ部弾性部材６１ａ，６１ｂは、外層シート１２と内層シート１３との間に配されており、該弾性部材６１ａ，６１ｂにおける側縁部分６１ａ”，６１ｂ”が、所定の接合手段によって、両シート１２，１３に伸張状態で固定されている。各レッグ部弾性部材６１ａ，６１ｂは、おむつ１の腹側部Ａの両側縁Ａ１，Ａ２と背側部Ｂの両側縁Ｂ１，Ｂ２とを互いに接合させたときに、両弾性部材６１ａ，６１ｂの端部同士が重なるように配されている。これによって、図１（ａ），（ｂ）に示すように、おむつ１のレッグ開口部６，６の付近には実質的に連続したリング状のレッグギャザーが形成される。
【００２２】
ウエスト弾性部材５１、レッグ部弾性部材６１及び側方カフス弾性部材８１としてはそれぞれ、天然ゴム、ポリウレタン系樹脂、発泡ウレタン系樹脂、伸縮性不織布又はホットメルト系伸縮部材等の伸縮性素材を糸状（糸ゴム）、帯状（平ゴム）、ネット状（網状）又はフィルム状に形成したものが好ましく用いられる。
【００２３】
図１（ａ），（ｂ）及び図２（ａ）に示すように、外層体１１における前後端部と左右両側の湾曲部との間に位置する胴周囲部Ｄには、外層体１１の幅方向に向けて複数の胴回り弾性部材７１ａ，７１ｂがそれぞれ配されている。各胴回り弾性部材７１ａ，７１ｂは糸状であり、おむつ１の腹側部Ａ及び背側部Ｂにおいて、吸収体４の両側縁よりも外方の部位Ｄ１に配されており且つ伸縮弾性が発現するように外層シート１２と内層シート１３とによって伸張状態で挟持固定されている。各胴回り弾性部材７１ａ，７１ｂは、接着剤やヒートシールなどの公知の接合手段を用いて間欠的に固定されている。各胴回り弾性部材７１ａ，７１ｂは、おむつ１の腹側部Ａの両側縁Ａ１，Ａ２と背側部Ｂの両側縁Ｂ１，Ｂ２とを互いに接合させたときに、両弾性部材７１ａ，７１ｂの端部同士がほぼ重なるように配されている。これによって、図１（ａ），（ｂ）に示すように、胴回り弾性部材７１ａ，７１ｂは、おむつ１の胴周囲部Ｄの周方向に向けて配されることになる。そして、おむつ１における吸収体４の両側縁よりも外方の部位Ｄ１においては、胴回り弾性部材７１ａ，７１ｂが配された領域に胴周囲ギャザーが形成される。
【００２４】
更に、胴回り弾性部材７１ａ，７１ｂは、吸収体４が存在する部位の少なくとも中央部には伸縮弾性が発現されるような状態では配されていない。即ち、胴回り弾性部材７１ａ，７１ｂが配されていないか、又は胴回り弾性部材７１ａ，７１ｂが配されている場合には、該胴回り弾性部材７１ａ，７１ｂは伸縮弾性が発現しないような状態で配されている。本第１実施形態においては、胴回り弾性部材７１ａ，７１ｂは、その両端のうちの一方である内側の端部が、吸収体４の側縁に若干重なる程度の状態で配されており、吸収体４の幅方向中央部から左右両側縁の近傍にかけての領域には胴回り弾性部材７１ａ，７１ｂが配されていない。吸収体４の側縁に位置する胴回り弾性部材７１ａ，７１ｂは非伸張状態となっており、伸縮弾性は発現していない。これによって、おむつ１における吸収体４が配された領域にはギャザーが形成されない。
【００２５】
吸収体４上には、その幅方向の全域に亘り胴回り弾性部材７１ａ，７１ｂが全く配されていないか、或いは配されていたとしても伸縮弾性が発現しないように配されていることが、吸収体４のひだ寄せ発生防止の点から最も好ましい。しかし、吸収体４のひだ寄せ発生の防止の観点からは、吸収体４上に少なくとも非伸縮の部分があればよく、吸収体４の幅の６０％以下、特に４０％以下の割合で、伸縮弾性を発現する胴回り弾性部材７１ａ，７１ｂが配されていてもよい。
【００２６】
胴回り弾性部材７１ａ，７１ｂをこのように配することで、吸収体４にひだ寄せが起こることが防止されて、吸収体４の吸液領域が有効に利用される。また、これに起因して着用者の身体とおむつ１との間に隙間ができにくくなり、漏れを効果的に防止できる。さらに、ひだ寄せの発生が防止される結果、着用時のおむつ１の外観印象が良好になるという利点もある。
【００２７】
上述のような構成の、廃棄時止着用の縦方向テープファスナー２０ａ及び横方向テープファスナー２０ｂが取り付けられる前のパンツ型使い捨ておむつ１は、以下に述べる方法で好ましく製造される。先ず、常法に従って、吸収体本体１０を製造する。一方、外層体１１を製造するには、先ず、外層シート１２の全面に亘りホットメルト粘着剤を塗工する。次いで、胴周囲部Ｄに、外層シート１２の幅方向に亘って胴回り部弾性部材７１ａ，７１ｂを伸張状態で配設固定する。更にウエスト部弾性部材５１ａ，５１ｂ及びレッグ部弾性部材６１ａ，６１ｂをそれぞれ目的の位置に伸張状態で配設固定する。然る後、外層シート１２上に内層シート１３を重ね合わせ両者を接合し、次いで胴回り部弾性部材７１ａ，７１ｂをその幅方向中央部において切断することで外層体１１が得られる。このようにして得られた吸収体本体１０と外層体１１とを部分接合で固定し、更に、外層体１１における腹側部Ａ及び背側部Ｂの左右両側縁をそれぞれ接合部Ｓとして接合固定してパンツ型とする。
【００２８】
接合部Ｓは、縦方向に容易に引き裂くことができるようになっていることが好ましく、これにより着用者の肌を汚すことなく、接合部Ｓにおいてパンツ型使い捨ておむつ１を容易に引き裂くことができ、当該パンツ型使い捨ておむつ１を簡単に脱いで廃棄することができる。また、このような引き裂きが容易な接合部Ｓは、例えばホットメルト型の粘着剤により、あるいは上述のようにヒートシール、高周波シール、超音波シール等を用いることにより、容易に形成することができ、接合後においても、感触が柔軟であることが好ましい。
【００２９】
なお、胴回り部弾性部材７１ａ，７１ｂの切断には、ロータリダイカッター、シェアカッター、ピンチカッターなどの切り歯と受け歯の組み合わせや、熱シールカット、超音波シールカット、圧接カット、ウォータージェットカッター等の公知の切断手段を用いることができる。
【００３０】
而して、本第１実施形態の使い捨ておむつ１は、図１（ｂ）に示すように、背側部の吸収体４と重なる外層シート１２の外表面には、吸収体４の長手方向に配置される帯状の廃棄時止着用の縦方向テープファスナー２０ａと、吸収体４の巾方向に配置される帯状の廃棄時止着用の横方向テープファスナー２０ｂとが取り付けられている。また横方向テープファスナー２０ｂは、廃棄時に各テープファスナー２０ａ，２０ｂが取付けられた外表面を外側にしてまとめられたおむつ１における吸収体４の側縁部側を周回させた際に、少なくとも両端部分が吸収体４と重なる背側部Ｂの外表面に止着される長さを有しており、好ましくは廃棄時にまとめられたおむつ１を一周できる長さを有している（図４（ｂ），（ｃ）参照）。さらに、横方向テープファスナー２０ｂは、その中心線の延長線が縦方向テープファスナー２０ａと交差する領域に設けられている。
【００３１】
本第１実施形態における帯状の廃棄時止着用の縦方向テープファスナー２０ａ或いは横方向テープファスナー２０ｂについて詳述すると、各テープファスナー２０ａ，２０ｂは、例えば図３（ａ）に示すように、細帯状の台紙１４の一面（下面）に粘着領域１５と剥離領域１６とを設け、先端側の止着部粘着領域１５ｂと剥離領域１６とが互いに当接して重なるように、台紙１４を長さ方向に３つ折りにし、Ｚ形状に折り畳んで形成されるものである。詳細には、台紙１４が３つに折り畳まれて固定部１４ａ、止着部１４ｂ及び中間部１４ｃが形成されており、固定部１４ａの下面には、固定部粘着層１５ａが、また止着部１４ｂの下面には、止着部粘着層１５ｂが設けられている。また、中間部１４ｃの下面が剥離領域１６となっていると共に、３つに折り畳まれた状態では互いに密着して配置される固定部１４ａの上面と中間部１４ｃの上面は、弱粘着層１７を介して剥離可能に接着されている。さらに、止着部１４ｂの端部に、粘着剤を塗着しない部分を設けて、つまみ（タグ）１８が形成されている。
【００３２】
これらの縦方向テープファスナー２０ａや横方向テープファスナー２０ｂは、固定部１４ａの固定部粘着層１５ａを介して外層シート１２の外表面の所定の位置に粘着固定される。固定された縦方向テープファスナー２０ａや横方向テープファスナー２０ｂは、例えば図３（ｂ）に示すように、つまみ１８を把持して、止着部１４ｂの止着部粘着層１５ｂを中間部１４ｃの剥離領域１６から剥離しつつＹ方向に引き剥がした後に、弱粘着層１７を介して密着していた固定部１４ａの上面と中間部１４ｃの上面とを剥離させつつＺ方向に引き延ばすことにより、Ｚ形状に折り畳まれた状態が開放されて、相当の長さのテープファスナーが形成されることになる。そして、引き延ばされた縦方向テープファスナー２０ａは、廃棄時に縦方向にまるめるようにして折り畳んだパンツ型使い捨ておむつ１を縦方向に巻き回すようして、その止着部１４ｂの止着部粘着層１５ｂを適宜の位置に粘着固定することにより（図４（ａ）参照）、おむつ１が縦方向にまとめられた状態を容易且つ強固に保持することが可能になる。また、引き延ばされた横方向テープファスナー２０ｂは、縦方向にまとめた後にさらに横方向に例えば二つ折りにしてまとめたパンツ型使い捨ておむつ１を横方向に巻き回すようして、吸収体４の側縁部側を周回させた後に、その止着部１４ｂの止着部粘着層１５ｂを吸収体４と重なる背側部Ｂの外表面の適宜の位置に粘着固定することにより（図４（ｂ），（ｃ）参照）、おむつ１がコンパクトにまとめられた状態を容易且つ強固に保持することが可能になる。
【００３３】
ここで、パンツ型使い捨ておむつ１が幼児用おむつの場合、帯状の縦方向テープファスナー２０ａは、例えば５〜３０ｍｍの巾を有していると共に、固定部１４ａは、例えば３０〜６０ｍｍの長さを有しており、中間部１４ｃは、例えば３０〜６０ｍｍの長さを有している。また、止着部１４ｂは、例えば３０〜６０ｍｍの長さを有しており、つまみ１８は例えば５〜１５ｍｍの長さを有していることから、縦方向テープファスナー２０ａは、その全体が９５〜１９５ｍｍの長さを有している。一方、帯状の横方向テープファスナー２０ｂは、例えば５〜３０ｍｍの巾を有していると共に、固定部１４ａは、例えば５０〜８０ｍｍの長さを有しており、中間部１４ｃは、例えば５０〜８０ｍｍの長さを有している。また、止着部１４ｂは、例えば５０〜８０ｍｍの長さを有しており、つまみ１８は例えば５〜１５ｍｍの長さを有していることから、横方向テープファスナー２０ｂは、その全体が１５５〜２５５ｍｍの長さを有していて、廃棄時にまとめられたおむつ１を一周するか（図４（ｂ）参照）、或いは吸収体４の側縁部側を周回させた際に両端部分を吸収体４と重なる背側部Ｂの外表面に止着する（図４（ｃ）参照）のに十分な長さを備えることになる。
【００３４】
また、本第１実施形態によれば、縦方向テープファスナー２０ａは、吸収体４の長手方向に伸びる中央区域（おむつの巾方向における中央部）に配置されており、横方向テープファスナー２０ｂは、その中心線の延長線を、吸収体４の長手方向に延設された縦方向テープファスナー２０ａと好ましくは垂直又は略垂直に交差させて、縦方向テープファスナー２０ａを挟んだ片側にのみ取り付けられている。縦方向テープファスナー２０ａが吸収体４の中央区域に配置されていることにより、ウエスト部をしっかり丸めることができると共に、安定的に圧着固定させることができるという利点が得られることになる。また、横方向テープファスナー２０ｂが縦方向テープファスナー２０ａと交差する領域に設けられていることにより、横から排泄物を漏らさないので安心感が得られると共に、より小さく丸めることができるので便利という利点が得られることになる。大人用おむつの場合には、おむつのサイズに併せて上述のテープファスナー２０ａ，２０ｂの各寸法を適宜変更することにより、同様の利点を得ることができる。
【００３５】
台紙１４を形成する材料としては、フィルム、紙、不織布あるいはこれらの複合材等を好ましく用いることができる。また、台紙１４は、外層シート１２と同じ素材で形成されていることが特に好ましく、これにより、縦方向テープファスナー２０ａや横方向テープファスナー２０ｂの外面がおむつの外面と同様のものとなり、テープファスナー２０ａ，２０ｂが目立たずに外観上優れたおむつとなる。さらに、例えば固定部１４ａの台紙１４と止着部１４ｂの台紙１４とを異なる材料で形成することもできる。
【００３６】
粘着層１５ａ，１５ｂを形成する粘着剤としては、通常の使い捨ておむつのテープファスナーに用いられる素材と同じものでよく、例えば、スチレン−エチレン−ブチレン−スチレンブロック共重合体（ＳＥＢＳ）、スチレン−イソプレン−スチレンブロック共重合体（ＳＩＳ）、スチレン−ブタジエン−スチレン共重合体（ＳＢＳ）等のスチレン系ブロックポリマー、あるいは天然ゴム、ブタジエン、アクリル酸エステル等を主剤とする粘着剤等が挙げられる。また、剥離処理は、常法に従って施してある。
【００３７】
なお、本発明に用いる縦方向テープファスナーや横方向テープファスナーとしては、上記構成のテープファスナーに限定されることなく、使い捨ておむつの着用時、或いは廃棄時に用いるテープファスナーとして公知の、その他の各種のテープファスナーを用いることができる。
【００３８】
本第１実施形態によれば、パンツ型使い捨ておむつ１を使用後に廃棄するには、例えば着用時の状態から両側の接合部Ｓを引き剥がして身体から取り外した後に、図４（ａ），（ｂ），（ｃ）に示すように、表面シート２を内側にして排泄物を包み込むようにしつつ腹側部Ａから背側部Ｂに向けて縦方向にまるめ込み、縦方向テープファスナー２０ａを用いて、パンツ型使い捨ておむつ１を縦方向にまとめた状態で仮止めする（図４（ａ）参照）。しかる後に、仮止めされたパンツ型使い捨ておむつ１を、さらに横方向に例えば二つ折りにし、横方向テープファスナー２０ａを用いて横方向に巻き回すようしつつ、止着部１４ｂの止着部粘着層１５ｂを適宜の位置に粘着固定することにより、パンツ型使い捨ておむつ１は、廃棄時のコンパクトにまとめられた状態で強固に保持されることになる（図４（ｂ），（ｃ）参照）。
【００３９】
そして、本第１実施形態のパンツ型使い捨ておむつ１によれば、廃棄時止着用のテープファスナー２０ａ，２０ｂを安定した状態で取り付けておくことができると共に、廃棄時に横方向のみならず縦方向にもまとめた状態を保持することを可能して、より小さく丸めて廃棄することができ、また排泄物や臭い等が漏れ出るのを効果的に回避することができる。すなわち、本第１実施形態によれば、帯状の廃棄時止着用の縦方向テープファスナー２０ａ及び横方向テープファスナー２０ｂが、背側部Ｂの吸収体４と重なる領域における外層シート１２の外表面に取り付けられているので、相当の厚さを有する吸収体４を台座として、しわ等を生じさせることなく安定した状態で縦方向テープファスナー２０ａ及び横方向テープファスナー２０ｂを固定することが可能になる。特に、本第１実施形態では、吸収体４と重なる領域の胴回り部弾性部材７１ａ，７１ｂが非機能化されてこの領域には胴回りギャザーが形成されていないので、縦方向テープファスナー２０ａや横方向テープファスナー２０ｂをさらに安定した状態で固定することが可能になる。また縦方向テープファスナー２０ａや横方向テープファスナー２０ｂが、おむつ１の背側部Ｂに取り付けられていることにより、例えば着用時に子供が悪戯して紛失したり損傷するのを効果的に回避することが可能になる。特に、本第１実施形態では、固定部１４ａのみならずつまみ１８を含めた全体が、背側部Ｂの外層シート１２の外表面における吸収体４と重なる領域からはみ出ることなく取り付けられているので、縦方向テープファスナー２０ａや横方向テープファスナー２０ｂの紛失や損傷をさらに効果的に回避することが可能になる。
【００４０】
また、本第１実施形態によれば、テープファスナーとして、縦方向テープファスナー２０ａ及び横方向テープファスナー２０ｂが取り付けられているので、これらの略直角な２方向に配置されたテープファスナー２０ａ，２０ｂによって、廃棄時にパンツ型使い捨ておむつ１を横方向のみならず縦方向にもまとめた状態を強固に保持することが可能になり、これによって例えば縦方向に沿った隙間や開口が生じるのを防止して、排泄物や臭い等が漏れ出るのを効果的に回避することが可能になる。さらに、本第１実施形態によれば、横方向テープファスナー２０ｂは、好ましくは廃棄時にまとめられたおむつ１を一周できる長さを有することにより、排泄物やその臭いを外にもらし難く、小さく丸めることができるという利点を一層効果的に得られることになる。
【００４１】
図５は、本発明の好ましい第２実施形態に係るパンツ型使い捨ておむつ１９を示すものである。本第２実施形態に係るパンツ型使い捨ておむつ１９は、上記第１実施形態のパンツ型使い捨ておむつ１と略同様の構成を有する一方で、外層シート１２の外表面における吸収体４の中央区域に設けられた縦方向テープファスナー２０ａを挟んだ両側に、一対の横方向テープファスナー２０ｂが取り付けられている。本第２実施形態に係るパンツ型使い捨ておむつ１９によっても、上記第１実施形態のパンツ型使い捨ておむつ１と略同様の作用効果を奏すると共に、一対の横方向テープファスナー２０ｂを用いることにより、廃棄時にまとめられたおむつ１９を一周できる長さを有する必要がなくなり、また横方向テープファスナー２０ｂを両側から巻き回すことにより、バランス良くパンツ型使い捨ておむつ１９をまとめることが可能になる。
【００４２】
なお、本発明は上記各実施形態に限定されることなく種々の変更が可能である。例えば、背側部の吸収体と重なる領域の弾性部材を非機能化して、この部分に胴回りギャザーが形成されないようにする必要は必ずしもなく、吸収体と重なる領域に胴回りギャザーが形成されている場合でも、吸収体を台座とすることにより、縦方向テープファスナーや横方向テープファスナーを安定した状態で取り付けることが可能になる。また胴回りギャザーが設けられてないパンツ型使い捨ておむつであっても良い。さらに、縦方向テープファスナーは、吸収体の長手方向に伸びる中央区域に配置される必要は必ずしもなく、また横方向テープファスナーは、その延長線が縦方向テープファスナーと交差する領域に設けられている必要は必ずしもない。さらにまた、縦方向テープファスナーや横方向テープファスナーは、これの固定部が吸収体と重なる領域に固定されていればよく、その全体が当該領域からはみ出ることなく設けられている必要は必ずしもない。
【００４３】
上記各実施形態においては、腹側部の両側縁と背側部の両側縁とを互いに接合してサイドシール部（接合部）を形成することでパンツ型のおむつとしたが、これに代えて、ホック、ボタン、面ファスナーなどの各種係合部材で予め係合させて、パンツ型の形状となしてもよい。また腹側部の両側縁と背側部の両側縁との接合又は係合位置は、身体の真横の位置に限られず、身体のやや前寄り又は後寄りの位置であってもよい。特に、サイドシール部が機械的面ファスナーの場合には、外層シートを係合可能なスパンボンド方式やメルトブロー方式製等の不織布とすることによって係合させることができるので、廃棄時止着用のテープファスナーとの両方の止着よって、さらに小さく丸めることが可能である。
【００４４】
さらに、上記各実施形態においては、外層体１１の外層シート１２と内層シート１３を不織布１２，１３から構成したが、外層体１１の材料はこれに限られず、例えば不織布と撥水性シートとの積層シートであってもよい。さらにまた、上記各本実施形態においては、おむつ１の輪郭を画成する外層体１１と、その上に載置される吸収体本体１０とからおむつ１が構成されていたが、これに代えて、吸収体本体を構成する表面シート及び防漏シートによっておむつの輪郭を画成させ、両シート間に吸収性コアとして吸収体を介在配置しておむつを形成し、防漏シートが外層シートを兼ねるようにして、防漏シートの外表面に廃棄時止着用の縦方向テープファスナーや横方向テープファスナーを取り付けることもできる。
【００４５】
そして、上記第１実施形態のパンツ型使い捨ておむつ１は、縦方向テープファスナー２０ａ及び横方向テープファスナー２０ｂの配置によって、優れた美的外観を備えるものであり、図６（ａ）〜（ｆ）は上記第１実施形態のパンツ型使い捨ておむつ１の特徴的な形態を表している。
【図面の簡単な説明】
【００４６】
【図１】（ａ）は、本発明の好ましい第１実施形態のパンツ型使い捨ておむつの表側（腹側）を示す斜視図、（ｂ）は、本発明の好ましい第１実施形態のパンツ型使い捨ておむつの裏側（背側）を示す斜視図である。
【図２】（ａ）は図１（ａ），（ｂ）に示すパンツ型使い捨ておむつの展開図、（ｂ）は（ａ）のＸ−Ｘに沿った展開断面図である。
【図３】（ａ）は廃棄時止着用の縦方向テープファスナー又は横方向テープファスナーの拡大斜視図であり、（ｂ）はその剥離させる状態を示す拡大斜視図である。
【図４】（ａ），（ｄ），（ｃ）は、廃棄時止着用の縦方向テープファスナーと横方向テープファスナーを用いてパンツ型使い捨ておむつをまとめる状態を説明する斜視図である。
【図５】本発明の好ましい第２実施形態のパンツ型使い捨ておむつの裏側（背側）を示す斜視図である。
【図６】本発明の好ましい第１実施形態のパンツ型使い捨ておむつにおける横方向テープファスナーの配置を示す（ａ）は背面図、（ｂ）は上面図、（ｃ）は正面図、（ｄ）は左側面図、（ｅ）は右側面図、（ｆ）は底面図である。
【符号の説明】
【００４７】
１，１９    パンツ型使い捨ておむつ
２    表面シート
３    防漏シート
４    吸収体（吸収性コア）
５    ウエスト開口部
６    レッグ部開口部
８    側方カフス
１０  吸収体本体
１１  外層体
１２  外層シート
１３  内層シート
１４  台紙
１４ａ  固定部
１４ｂ  止着部
１４ｃ  中間部
１５  粘着領域
１５ａ  固定部粘着層
１５ｂ  止着部粘着層
１６  剥離領域
１７  弱粘着層
１８  つまみ（タグ）
２０ａ  縦方向テープファスナー
２０ｂ  横方向テープファスナー
５１ａ，５１ｂ  ウエスト部弾性部材
６１ａ，６１ｂ  レッグ部弾性部材
７１ａ，７１ｂ  胴回り弾性部材
８１  側方カフス弾性部材
Ａ    腹側部
Ｂ    背側部
Ｃ    股下部
Ｄ    胴周囲部
Ｓ    接合部（サイドシール部）
【図１】
2006246971.tif 000003
【図２】
2006246971.tif 000004
【図３】
2006246971.tif 000005
【図４】
2006246971.tif 000006
【図５】
2006246971.tif 000007
【図６】
2006246971.tif 000008